(57)【要約】      （修正有）【課題】招待状を受け取った者を楽しませ、招待される者が催しに是非参加したいと積極的に思わせるような強い印象を与えることができる招待状を提供する。【解決手段】二つに谷折にされ、この二つ折りを開くとキャラクター及び案内文が現れる招待状１００において、招待状が、二つ折りの一方であり、案内文を表示する案内文表示面１２０ｂと、二つ折りの他方であり、キャラクターを表示するキャラクター表示面１１０ｂと、音声で前記案内文に関連するメッセージを再生する音声出力装置と、キャラクター表示面で且つ谷折りの右側の端に配置され、音声出力装置を起動するボタン１４０と、を有する。【選択図】図１
0003185669.tif 000002
【実用新案登録請求の範囲】
【請求項１】
二つに谷折りにされ、この二つ折りを開くとキャラクター及び案内文が現れる招待状であって、
前記二つ折りの一方であり、前記案内文を表示する案内文表示面と、
前記二つ折りの他方であり、前記キャラクターを表示するキャラクター表示面と、
音声で前記案内文に関連するメッセージを再生する音声出力装置と、
前記キャラクター表示面で且つ前記谷折りの右側の端に配置され、前記音声出力装置を起動するボタンと、
を有する招待状。
【請求項２】
二つに谷折りにされ、この二つ折りを開くとキャラクター及び案内文が現れる招待状であって、
前記二つ折りの一方であり、前記案内文を表示する案内文表示面と、
前記二つ折りの他方であり、前記キャラクターを表示するキャラクター表示面と、
音声で前記案内文に関連するメッセージを再生する音声出力装置と、を有し、
前記音声出力装置が、前記音声出力装置を起動するボタンが押されることにより、又は前記招待状が開かれることにより起動される招待状。
【請求項３】
前記キャラクター表示面には、複数のキャラクターが表示され、
前記音声が前記複数のキャラクターの音声を含む請求項１又は請求項２に記載の招待状。
【請求項４】
前記キャラクター表示面にはランプが配置され、前記メッセージの再生と共に前記ランプが点灯又は点滅する請求項１又は請求項２に記載の招待状。
【考案の詳細な説明】
【技術分野】
【０００１】
本考案は、音声を出力する招待状に関する。
【背景技術】
【０００２】
招待状には、案内文と共に、開催日時及び開催場所などの情報が記載される。しかし、このような形式的事項のみでは、招待される者が招待状で示された催しをイメージすることが困難であり、不安な気持ちが生じる場合がある。そのため、招待される者が催しに是非参加したいと積極的に思わせることができない場合があった。
【０００３】
上記の問題に対して、特許文献１には、招待する者の写真が印刷された招待状が示されている。また、特許文献２では、招待状にＷｅｂサイトにリンクする二次元コードを印刷し、招待される者に携帯電話などで二次元コードを読み取らせることにより動画を配信する旨が示されている。例えば、これらの招待状が結婚式の招待状であれば、招待状に婚約当事者の写真又は二次元コードを介して動画を示すことにより列席者に婚約当事者のイメージを伝えることができる。
【先行技術文献】
【特許文献】
【０００４】
【特許文献１】実用新案登録第３０５０７５９号
【特許文献２】実用新案登録第３１２１１５９号
【考案の概要】
【考案が解決しようとする課題】
【０００５】
しかし、特許文献１では、招待される者が催しに是非参加したいと積極的に思わせるにはまだ十分とは言い難かった。特許文献２では、招待状を受け取った者が二次元コードを読み取ることができない、又は面倒でＷｅｂサイトにアクセスしない等の場合があった。また、特許文献２の招待状自体は質素になるため、招待状を受け取った者を楽しませ、又は招待される者が催しに是非参加したいと積極的に思わせるほどに強い印象を与えるには不十分であった。
【０００６】
そこで本考案は、招待状を受け取った者を楽しませ、招待される者が催しに是非参加したいと積極的に思わせるような強い印象を与えることができる招待状を提供することを目的とする。
【課題を解決するための手段】
【０００７】
第１観点の招待状は、二つに谷折にされ、この二つ折りを開くとキャラクター及び案内文が現れる招待状である。また、招待状は、二つ折りの一方であり、案内文を表示する案内文表示面と、二つ折りの他方であり、キャラクターを表示するキャラクター表示面と、音声で前記案内文に関連するメッセージを再生する音声出力装置と、キャラクター表示面で且つ谷折りの右側の端に配置され、音声出力装置を起動するボタンと、を有する。ここで、「キャラクター」とは、招待状において絵柄、写真等で描かれている実在又は架空の人物・動植物・物品等を含む。
【０００８】
第２観点の招待状は、二つに谷折りにされ、この二つ折りを開くとキャラクター及び案内文が現れる招待状であって、二つ折りの一方であり、案内文を表示する案内文表示面と、二つ折りの他方であり、キャラクターを表示するキャラクター表示面と、音声で案内文に関連するメッセージを再生する音声出力装置と、を有し、音声出力装置が、音声出力装置を起動するボタンが押されることにより、又は招待状が開かれることにより起動される。
【０００９】
第３観点の招待状は、第１観点及び第２観点において、キャラクター表示面には複数のキャラクターが表示され、音声が複数のキャラクターの音声を含む。
【００１０】
第４観点の招待状は、第１観点及び第２観点において、キャラクター表示面にはランプが配置され、メッセージの再生と共にランプが点灯又は点滅する。
【考案の効果】
【００１１】
本考案によれば、招待状を受け取った者を楽しませ、招待される者が催しに是非参加したいと積極的に思わせるような強い印象を与えることができる招待状を提供することができる。
【図面の簡単な説明】
【００１２】
【図１】（ａ）は、閉じられた招待状１００の表表紙１１０が示された図である。  （ｂ）は、招待状１００の開かれた状態が示された図である。
【図２】（ａ）は、招待状１００の展開図である。  （ｂ）は、図２（ａ）の裏面図である。
【図３】（ａ）は、招待状２００の開かれた状態が示された図である。  （ｂ）は、招待状３００の開かれた状態が示された図である。
【図４】（ａ）は、招待状３００の展開図である。  （ｂ）は、図４（ａ）の裏面図である。
【考案を実施するための形態】
【００１３】
以下、本考案の実施の形態を図面に基づいて詳細に説明する。なお、本考案の範囲は以下の説明において特に本考案を限定する旨の記載がない限り、これらの形態に限られるものではない。
【００１４】
（第１実施形態）
図１（ａ）は、閉じられた招待状１００の表表紙１１０が示された図である。以下の説明では、招待状１００がキャラクター１１１に関する催しへの招待状であるとして説明する。招待状１００は折り目１３０において二つに谷折りにされ、表表紙１１０及び裏表紙１２０から成る招待状である。図１（ａ）では、表表紙１１０の外面１１０ａが示されている。ここで、外面とは招待状が二つ折りに折られた場合に外側になる面を示し、内側になる面を内面とする。外面１１０ａは、「ＩＮＶＩＴＡＴＩＯＮ」又は「ご招待状」等の言葉が記入されており、招待状１００が招待状であることを招待状１００の受取人に示している。
【００１５】
図１（ｂ）は、招待状１００の開かれた状態が示された図である。図１（ｂ）に示される招待状１００では、招待状１１０の表表紙１１０の内面１１０ｂと、裏表紙１２０の内面１２０ｂと、が示されている。
【００１６】
表表紙１１０の内面１１０ｂは、キャラクター１１１が表示されたキャラクター表示面である。キャラクター１１１は、招待状１００を見る者に対して顔を向けるように配置されている。また、内面１１０ｂの右下、すなわちキャラクター表示面の折り目１３０の右側の端には、「ＰＵＳＨ」と書かれた音声を再生させるための音声ボタン１４０が配置されている。音声ボタン１４０が押された場合には、キャラクター１１１の声で招待状１００を見る者に対するメッセージが流れる。裏表紙１２０の内面１２０ｂは、案内文が記載された案内文表示面となっている。
【００１７】
また、招待状１００ではキャラクター１１１の１つのキャラクターが示されているが、キャラクター１１１が抱える人形をキャラクター１１２としても良い。このような複数のキャラクターが登場する場合の実施例は、後述の第２実施形態に示される。
【００１８】
図２（ａ）は、招待状１００の展開図である。招待状１００の表表紙１１０は、２枚の紙を互いに貼り合わせることにより形成される。その為、招待状１００は、主に表表紙１１０の外面１１０ａを構成する紙、表表紙１１０の内面１１０ｂを構成する紙、及び裏表紙１２０を構成する紙の３枚の紙により構成される。表表紙１１０は図２（ａ）において、表表紙１１０の外面１１０ａを構成する紙と表表紙１１０の内面１１０ｂを構成する紙との間の折り目１３１が山折りに折り曲げられ、表表紙１１０の外面１１０ａを構成する紙の周囲に形成されるのりしろ１３２を表表紙１１０の内面１１０ｂを構成する紙の裏面に糊付けすることにより形成される。
【００１９】
図２（ｂ）は、図２（ａ）の裏面図である。表表紙１１０の内面１１０ｂを構成する紙の裏面には、音声を出力させるための音声出力装置１５０、及び音声出力装置１５０に接続され音声出力装置１５０を起動するスイッチ１５４が配置されている。音声出力装置１５０は、例えば、電池１５１、音声ＩＣ１５２、及びスピーカ１５３を含む。スイッチ１５４は、音声ボタン１４０（図２（ａ）参照）の裏に、音声ボタン１４０が押されることによりスイッチ１５４が入るように配置される。音声ＩＣ１５２には、キャラクター１１１の声で音声が録音されており、音声ボタン１４０が押されることによりスイッチ１５４が入り、キャラクター１１１の音声がスピーカ１５３から流れる。音声には、例えば案内文に関するメッセージが含まれる。
【００２０】
表表紙１１０の内面１１０ｂを構成する紙の周囲にはのりしろ１３３が形成されており、表表紙１１０の外面１１０ａを構成する紙ののりしろ１３２がのりしろ１３３に糊付けされることにより表表紙１１０が形成される。これにより、音声出力装置１５０及びスイッチ１５４が表表紙１１０の中に隠される。
【００２１】
招待状１００では、キャラクター表示面にキャラクター１１１が配置されることにより、催しのイメージを視覚的に伝えることができる。また、キャラクター１１１が招待される者に対して直接語りかけるように音声が流れることにより、催しの雰囲気を聴覚的に伝えることができる。このように、招待状１００では招待される者の複数の感覚に訴えかけることにより、催しのイメージを感覚的に伝えることができる。これにより招待される者の催しに対する不安を払拭し、さらに催しに対する興味を増大させることができる。
【００２２】
また、招待状１００では、招待状１００を受け取った者がすぐに音声を聞くことができ、キャラクター表示面に表示されるキャラクター１１１及びキャラクター１１１の音声により招待状１００を受け取った者を楽しませることができる。そのため、招待される者に対して招待状１００を受け取った時点で催しに対する強い印象を与えることができるため好ましい。
【００２３】
さらに、二つ折りの招待状１００では、招待状１００を受け取った者は招待状１００を安定して持つために折り目１３０の左端付近を左手で持ち、折り目１３０の右端付近を右手で持つことが考えられるが、招待状１００では音声ボタン１４０が折り目１３０の右側の端、すなわち右手の付近に配置されることにより、招待状１００を受け取った者が違和感なく容易に音声ボタン１４０を押すことができるため好ましい。
【００２４】
招待状１００ではキャラクター表示面にキャラクター１１１が描かれることによりキャラクター表示面にキャラクター１１１を表示させたが、招待状を開くことによりキャラクター１１１の立体物がキャラクター表示面を背景としてポップアップして表示されるポップアップカードとして作製されていても良い。この場合、キャラクター１１１の立体物は、キャラクター表示面、案内文表示面の一部、又はキャラクター表示面と案内文表示面の一部とにまたがって形成される。
【００２５】
また特に図示しないが、キャラクター表示面のキャラクター１１１より小さく、招待状１００の案内文表示面にキャラクターが描かれていてもよい。
【００２６】
さらに、招待状１００では音声ボタン１４０を押すことにより音声出力装置が起動されたが、招待状を開くことにより自動的に音声出力装置１５０が起動するように形成されても良い。このような招待状の音声出力装置の起動装置は、招待状を開いた場合に電気的に接続されて音声出力装置が起動するように形成することができる。また、招待状を閉じると電気的に絶縁する。
【００２７】
（第２実施形態）
招待状には、音声に加えて光りを発するランプが配置されても良い。ランプは、例えばキャラクターの目及び鼻などに配置されることができる。以下に、音声出力がされると共に、ランプが配置されて所定の場所が光る招待状２００及び招待状３００について説明する。また、第１実施形態で示された部分と同じ部分に関しては、第１実施形態と同じ番号を付してその説明を省略する。
【００２８】
図３（ａ）は、招待状２００の開かれた状態が示された図である。図３（ａ）の招待状２００は表表紙２１０の内面２１０ｂ及び裏表紙２２０の内面２２０ｂが示されており、表表紙２１０の内面２１０ｂが案内文表示面、裏表紙２２０の内面２２０ｂがキャラクター表示面として形成されている。また、音声ボタン１４０がキャラクター表示面の折り目１３０の右側の端に配置されている。招待状２００では、キャラクター表示面に第１キャラクター２１１及び第２キャラクター２１２が示されており、第１キャラクター２１１の目及び鼻にはランプ２５６ａが配置されている。音声は、第１キャラクター２１１の声で再生され、音声が再生されると共に第１キャラクター２１１に配置されたランプ２５６ａが点灯又は点滅し、再生が終了すると共にランプ２５６ａが自動的に消える。
【００２９】
第１キャラクター２１１の目及び鼻などにランプ２５６ａが配置されてそれを点灯又は点滅させた場合は、第１キャラクター２１１が、ランプ２５６ａが点灯又は点滅していない場合に対して異なる視覚的情報を発することになるため、第１キャラクター２１１の表情を多少変化したように見させることができる。すなわち、第１キャラクター２１１の音声と共にランプ２５６ａを点灯又は点滅させることで第１キャラクター２１１の表情に変化が付き、第１キャラクター２１１が話しているように演出することができる。ランプ２５６ａは第１キャラクター２１１が話す速度で点滅させることができる。また、音声が複数の文章により構成される場合には、音声が流れている間はランプ２５６ａを点灯させ、音声の文章が途切れる箇所でランプ２５６ａを消灯させるようにすることができる。このように、招待状２００ではキャラクターが招待される者に対して直接話しているように演出されることにより、招待状を受け取った者を楽しませ、招待状を受け取った者に強い印象を与えて招待状を受け取った者の関心を引き付けることができる。
【００３０】
図３（ｂ）は、招待状３００の開かれた状態が示された図である。招待状３００は、招待状２００において第１キャラクター２１１にランプ２５６ａが配置されると共にさらに第２キャラクター２１２にもランプ２５６ｂが配置された招待状である。再生される音声に第１キャラクター２１１及び第２キャラクター２１２の音声が含まれる場合には、第１キャラクター２１１にランプ２５６ａを配置すると共に第２キャラクター２１２の目及び鼻などにもランプ２５６ｂを配置してもよい。第１キャラクター２１１の音声が流れている場合には第１キャラクター２１１のランプ２５６ａを点灯又は点滅させ、第２キャラクター２１２の音声が流れている場合には第２キャラクター２１２のランプ２５６ｂを点灯又は点滅させることにより、音声が流れているキャラクターがどちらのキャラクターかが明確になり、招待状３００を受け取った者が各キャラクターに話しかけられているような演出をすることができる。
【００３１】
図４（ａ）は、招待状３００の展開図である。招待状３００の裏表紙２２０は、裏表紙２２０の外面２２０ａを構成する紙及び裏表紙２２０の内面２２０ｂを構成する紙が互いに貼り合わされることにより形成される。裏表紙２２０は図４（ａ）において、裏表紙２２０の外面２２０ａを構成する紙と裏表紙２２０の内面２２０ｂを構成する紙との間の折り目１３１が山折りに折り曲げられ、裏表紙２２０の外面２２０ａを構成する紙の周囲に形成されるのりしろ１３２を裏表紙２２０の内面２２０ｂに糊付けすることにより形成される。
【００３２】
図４（ｂ）は、図４（ａ）の裏面図である。裏表紙２２０の内面２２０ｂを構成する紙の裏面には、音声出力装置３５０及び音声出力装置３５０に接続され音声出力装置３５０を起動するスイッチ１５４が配置されている。音声出力装置３５０は、電池１５１、スピーカ１５３、音声ＩＣ１５２、ランプ２５６ａ、及びランプ２５６ｂを有しており、さらに、音声ＩＣ１５２、ランプ２５６ａ、及びランプ２５６ｂを制御する制御ＩＣ２５７を有している。ランプ２５６ａ及びランプ２５６ｂは、例えば発光ダイオード（ＬＥＤ）により形成されることができる。また、ランプ２５６ａ及びランプ２５６ｂは発光する色が様々に変化するように形成されても良い。音声出力装置３５０では、スイッチ１５４が押されることによりスピーカ１５３から音声が流れ、さらに音声に合わせてＬＥＤが点灯又は点滅する。
【００３３】
裏表紙２２０の内面２２０ｂを構成する紙の周囲にはのりしろ１３３が形成されており、裏表紙２２０の外面２２０ａを構成する紙ののりしろ１３２がのりしろ１３３に糊付けされることにより裏表紙２２０が形成される。これにより、音声出力装置３５０及びスイッチ１５４が裏表紙２２０の中に隠される。
【００３４】
招待状３００では、キャラクター表示面に複数のキャラクターが表示され、音声には各キャラクターの音声が入力されている。また、各キャラクターの音声が流れている間にそのキャラクターのランプが点灯又は点滅することによりどのキャラクターが話しているのかが明確になり、各キャラクターが話しているかのような演出がされている。これにより、招待状を受け取った者を楽しませ、招待される者が催しに是非参加したいと積極的に思わせるような強い印象を与えることができる。また、音声と共にランプによる演出を行うことで、招待状が華やかになり、受け手の催しに対する興味、関心、及び期待をより増大させることができる。
【００３５】
以上、本考案の最適な実施形態について詳細に説明したが、当業者に明らかなように、本考案はその技術的範囲内において実施形態に様々な変更及び変形を加えて実施することができる。
【００３６】
例えば、第１実施形態及び第２実施形態において、スピーカ１５３は任意の位置に配置されることができるが、キャラクターの顔の付近に配置してそのキャラクターが話しているかのように演出がされても良い。また、複数のキャラクターが登場する招待状３００に示される場合には、複数のスピーカを用意して各スピーカを各キャラクターの顔の付近に設置し、各キャラクターの音声を各キャラクターの顔の付近から出すことにより各キャラクターが話しているかのような演出がされても良い。
【００３７】
また、第２実施形態においては、キャラクター以外の部分にランプが配置されても良い。例えば、図３（ａ）において、内面２２０ｂの「ＡＲＩＧＡＴＯ」の文字にランプを配置し、第１キャラクター２１１が「ありがとう」と話すと共に内面２２０ｂの「ＡＲＩＧＡＴＯ」の文字を点灯させることができる。これにより、更に華やかな演出をすることができる。
【００３８】
さらに、上記実施形態では、案内文に関するメッセージがキャラクターの音声により再生されたが、ナレーター又は招待状の差出人など、例えば招待状を出す会社などの代表者又は役員、のキャラクター以外の音声により再生されても良い。
【符号の説明】
【００３９】
１００、２００、３００  …  招待状
１１０、２１０  …  表表紙
１１０ａ  …  表表紙の外面
１１０ｂ、２１０ｂ  …  表表紙の内面
１１１、１１２  …  キャラクター
１２０、２２０  …  裏表紙
１２０ａ  …  裏表紙の外面
１２０ｂ、２２０ｂ  …  裏表紙の内面
１３０、１３１  …  折り目
１３２、１３３  …  のりしろ
１４０  …  音声ボタン
１５０、３５０  …  音声出力装置
１５１  …  電池
１５２  …  音声ＩＣ
１５３  …  スピーカ
１５４  …  スイッチ
２１１  …  第１キャラクター
２１２  …  第２キャラクター
２５６ａ、２５６ｂ  …  ランプ
２５７  …  制御ＩＣ
0003185669.tif 000003
【手続補正書】
【提出日】平成25年7月1日(2013.7.1)
【手続補正１】
【補正対象書類名】図面
【補正対象項目名】図１
【補正方法】変更
【補正の内容】
【図１】
0003185669.tif 000004
【手続補正２】
【補正対象書類名】図面
【補正対象項目名】図２
【補正方法】変更
【補正の内容】
【図２】
0003185669.tif 000005
【手続補正３】
【補正対象書類名】図面
【補正対象項目名】図３
【補正方法】変更
【補正の内容】
【図３】
0003185669.tif 000006
【手続補正４】
【補正対象書類名】図面
【補正対象項目名】図４
【補正方法】変更
【補正の内容】
【図４】
0003185669.tif 000007